Podtech/llm-jp-corpus-v4-ja_patent huggingface dataset:
(57)【要約】【課題】      靴中敷きに、歩行する事での体重移動により、かかと部から爪先部に弾性変形する管を通して送気し、足先の空気入れ替え機能を持たせたもので、水虫、蒸れ防止、健康促進が図れる靴中敷きを提供する。【解決手段】  本体（１）の中層に、弾性変形する送気管（３）空気室、（４）を設け、かかと部に吸気口、（２）爪先部に排気口（５）を配置し、歩行による体重移動により、かかと部から爪先部に送気管を通して空気を送り、靴内部爪先部の空気を入れ替え冷却することができる形状とする。【選択図】図１
2007190346.tif 000002
【特許請求の範囲】
【請求項１】
本体（１）の中層に、弾性変形する送気管（３）、空気室（４）を設け、かかと部に吸気口（２）、爪先部に排気口（５）を配置し、歩行による体重移動により、かかと部から爪先部に送気管を通して空気を送り、靴内部爪先の空気が入れ替えできる送気式爪先蒸れ防止の靴中敷き。
【発明の詳細な説明】
【発明の詳細な説明】
【産業上の利用分野】
【０００１】  爪先の蒸れ、水虫など健康対策を促進させるため、かかと部から爪先部へ管を通し送気し蒸れを防止する機能で、歩行時の体重移動を利用した靴中敷きに関するものである。
【背景技術】
【０００２】  ポンプによるもので空気が入れ替わらない。
【発明が解決しようとする課題】
【０００３】  爪先の蒸れ、水虫防止。
【課題を解決するための手段】
【０００４】  本体（１）の中層に、弾性変形する送気管（３）、空気室（４）を設け、かかと部に吸気口（２）、爪先部に排気口（５）を配置し、歩行による体重移動により、かかと部から爪先部に送気管を通して空気を送り靴内部爪先の空気を入れ替えることができる形状とする。
本発明は、以上のような構造よりなる靴中敷である。
【発明を実施するための最良の形態】
【０００５】以下、本発明の実施例について説明する。
（イ）中敷き本体（１）中層に、かかと部から爪先部へ体重により弾性変形し塞がる送気管（３）、爪先部に空気室（４）を設ける。
（ロ）かかと部に吸気口（２）、爪先部に排気口（５）をあける。
（ハ）歩行時、無負荷の状態で送気管（３）、空気室（４）に空気が充填し、かかとが着地することで吸気口（２）を塞ぐ。
（ニ）体重が前方に移動することにより送気管（３）が爪先へと順次塞がり、排気口（５）より排気する。
（ホ）爪先に体重がかかると、空気室（４）が塞がり排気口より排気する。
本発明は以上のような仕様で、これを使用する時は、靴内部に挿入する。
【発明の効果】
【０００６】これには次のような効果がある。
爪先の蒸れ、水虫防止が向上するので健康促進が図れる。
【図面の簡単な説明】
【図１】  本発明の斜視図である。
【図２】  本発明の爪先部断面図である。
【図３】  本発明のかかと部断面図である。
【図１】
2007190346.tif 000003
【図２】
2007190346.tif 000004
【図３】
2007190346.tif 000005
(57)【要約】【課題】  肩こりや偏頭痛の改善、腰痛予防、特定部位の姿勢矯正、美しい歩行パターンを実現することが可能な姿勢矯正装着具を提供する。【解決手段】  姿勢矯正装着具の上着１０とズボン１６は、着脱自在する支持手段１５、１７と、服に付けた多数のポケット１２と、ポケットに入れた砂袋又は水袋等の重りとを備えている。ポケット１２に入れた水袋に水の注入口、砂袋に砂袋口の止め具を有しており、砂と水の量の調整が可能である。服に付けたポケット１２に、全て砂袋又は水袋を入れる必要は無く、矯正部位や矯正程度などの要求により服の適応な場所のポケットに入れることができる。【選択図】図１
2007190339.tif 000002
【特許請求の範囲】
【請求項１】
歩行時等における姿勢を矯正する姿勢矯正服であって、装着者に着脱自在する支持手段と、服に付けた多くのポケットと、ポケットに納める重りとしての砂または水等を入れた袋を備えることを特徴とする姿勢矯正装着具。
【請求項２】
前記のポケットに入れた砂袋又は水袋においては砂と水の量の調整が可能であることを特徴とする請求項１記載の姿勢矯正装着具。
【請求項３】
前記の服に付けた全てのポケットに、砂袋又は水袋を入れる必要は無く、矯正部位や矯正程度などの要求により服の適応な場所のポケットに入れることを特徴とする請求項１または２記載の姿勢矯正装着具。
【発明の詳細な説明】
【発明の詳細な説明】
【技術分野】
【０００１】  本発明は、歩行時等における装着者の姿勢矯正具に関するものであり、特に、着脱自在し、矯正部位の特定と個人特性を考慮し、装着者の姿勢を矯正するための姿勢矯正装着具に関するものである。
【背景技術】
【０００２】  歩行時等における姿勢が悪くなると、太もも・ふくらはぎなど、下半身の筋肉は正しく使われなくなり、脚やヒップはどんどんたるんできてしまい、また血液の循環が悪くなり，肩こりや腰痛が起こる恐れがある。「姿勢を正して病気を治す」と言われるように、正しい姿勢は健康増進にとってとても重要である。例えば，特許文献１に記載された姿勢矯正バンドでは、腰痛を和らげ、歩行を助けることができる。【０００３】
【特許文献１】  特開２００１−２３１８８３
【発明の開示】
【発明が解決しようとする課題】
【０００４】  ところで、上述した特許文献１に記載された姿勢矯正バンドは、装着者の体の固定位置に装着され、多数の矯正部位への対応が困難であり、矯正程度に関して個人特性を考慮しなかった。【０００５】  本発明は、このような点に鑑みて創作されたものであり、肩こりや偏頭痛の改善、腰痛予防、特定部位の姿勢矯正、美しい歩行パターンを実現することが可能な姿勢矯正装着具を提供することを目的とする。
【課題を解決するための手段】
【０００６】  上述した課題を解決するために、本発明の姿勢矯正装着具は、着脱自在する支持手段と、服に付けた多くのポケットと、ポケットに入れた砂袋又は水袋等の重りとを備えることを特徴としている。【０００７】  更に、ポケットに入れた砂袋又は水袋においては砂と水の量の調整が可能であることと、服に付けた全てのポケットに、砂袋又は水袋を入れる必要は無く、矯正部位や矯正程度などの要求により服の適応な場所のポケットに入れることを特徴としている。
【発明の効果】
【０００８】  本発明の姿勢矯正装着具によれば、歩行時等における装着者の肩こりや偏頭痛の改善、腰痛予防、特定部位の姿勢矯正、美しい歩行パターンを実現することによって、装着者の健康を増進する。
【発明を実施するための最良の形態】
【０００９】  以下、図面に基づき、本発明の実施形態について説明する。【００１０】  図１は本発明の姿勢矯正装着具の例を示す図であり、姿勢矯正具の上着１０の正面と背面、姿勢矯正具のズボン１６の正面と背面が示されている。同図に示すポケット１２は姿勢矯正具の上着１０とズボン１６の正面と背面と側面に多く付けられ、上着１０に着脱自在する支持手段１５とズボン１６に着脱自在する支持手段１７を有している。【００１１】  図２はポケットの中身の例を示す図であり、ポケット１２の内部形態、水袋２１と砂袋２５が示されている。同図に示す面ファスナ１９、２０はポケット１２の中身が入口２１から出ないための止め具であり、凸部１８は面ファスナの印であり、水袋２１に水の注入口２３、砂袋２５に砂袋口の止め具２６を有している。【００１２】  図３は一実施形態の姿勢矯正装着具１１を装着した状態を示す図である。同図に示す姿勢矯正具の上着１０とズボン１６のポケット１２に重り（水袋２２又は砂袋２５等）を入れている。
【図面の簡単な説明】
【図１】    本発明の姿勢矯正装着具の例を示す図であり、
【図２】    ポケットの中身の例を示す図である。
【図３】    一実施形態の姿勢矯正装着具を装着した状態を示す図である。
【符号の説明】
１１  姿勢矯正装着具
１０  姿勢矯正具の上着
１２  ポケット
１５  上着の支持手段
１６  姿勢矯正具のズボン
１７  ズボンの支持手段
１８  凸部
１９、２０  面ファスナ
２１  ポケットの入口
２２  水袋
２３  水の注入口
２５  砂袋
２６  砂袋口の止め具
【図１】
2007190339.tif 000003
【図２】
2007190339.tif 000004
【図３】
2007190339.tif 000005
(57)【要約】【課題】災害時など資材が限られているとき、長期保存されていたトイレットペーパーなどの紙製品を、紙本来の機能に合わせて、衛生管理を要する資材としても使用できるように提供する。【解決手段】無菌状態に加工された紙製品を、外部環境から隔絶して梱包する。【選択図】なし【特許請求の範囲】
【請求項１】
本発明は、外部環境から隔絶された梱包状態で保存される紙であって、無菌状態に加工されその状態を維持することを特徴とする無菌紙。
【発明の詳細な説明】
【技術分野】
【０００１】本発明は、衛生管理を要する用途での紙の使用に関する。
【背景技術】
【０００２】従来、無菌状態の紙が無いため衛生管理を要する用途では使用できなかった。また、衛生管理を要する用途で用いられるガーゼ等は、紙が本来持つ水での分離性能等を必要とするような用途には使用できなかった。
【発明の開示】
【発明が解決しようとする課題】
【０００３】しかしながら、災害時などで資材が限られているにもかかわらず、より多くの衛生管理を要する資材を必要とする場合に、無菌状態にない長期保存された後のトイレットペーパー等では衛生管理を要する場面で代用できなかった。また、水に溶けないガーゼ等の布類ではトイレットペーパーの代わりに使用することはできない。そこで本発明は、このような課題を解決するために、トイレットペーパーに限らず紙を無菌化して保存することで、衛生管理を要する場面で使用できるようにするとともに、紙本来の機能も同時に提供することにある。
【課題を解決するための手段】
【０００４】課題を解決するための手段として、本発明は、外部環境から隔絶された梱包状態で保存される紙であって、無菌状態に加工されその状態を維持することを特徴とする無菌紙を提供する。
【発明の効果】
【０００５】本発明によれば、紙を細菌やカビから隔絶し長期保存でき、安価な衛生管理を要する資材として代用することができ、紙本来の機能を生かして使用することもでき、両者の機能を持つため保管スペースを減らすことができる。
【発明を実施するための最良の形態】
【０００６】以下、本発明を実施するための最良の形態を説明する。無菌状態にしようとする紙製品を外気に触れないように梱包する。梱包された製品に加速電子線束またはガンマ線を照射して殺菌する。本発明は以上述べた実施例に限定されるものではない。
(57)【要約】      （修正有）【課題】焼肉等を焼く場合には、ガスコンロよりも炭火コンロが優れていることは言われているが、実際には炭火コンロをテーブルに設置することができない為に、家庭では炭火での調理が困難であった。【解決手段】テーブルの天板１に炭火コンロ孔を設け、アウトドアで使用するタイプの鉄製炭火コンロ８をコンロ受け６に設置できるようにする。炭火コンロ８を使用しない場合は、受け台２を取付けた上に受け台カバー５を置くことで通常の平らなテーブルとして使用することができる。【選択図】図２
2007190338.tif 000002
【特許請求の範囲】
【請求項１】
テーブル台に炭火用コンロをはめ込める孔を設けた炭火が使えるテーブル。
【請求項２】
炭火用コンロをはめ込める孔を設けたテーブルから脱着できる受け台を設けた請求項１記載の炭火が使えるテーブル。
【発明の詳細な説明】
【発明の詳細な説明】
【技術分野】
【産業上の利用分野】
【０００１】  本発明は、炭火で火をおこす七輪や炭火用コンロを設置できるテーブルに関する。
【背景技術】
【０００２】  従来のコンロ付きテーブルは、ガスコンロでありガスホースがあるため、コンロの脱着ができない固定型であった。
【発明が解決しようとする課題】
【０００３】  従来のコンロ付きテーブルは、ガス用コンロであったためガスホースの取付が必要であり、容易に脱着することができなかった。
【０００４】  また、焼肉等を焼く場合には、ガスコンロよりも炭火コンロが優れていることは言われているが、実際には炭火コンロをテーブルに設置することができないために、家庭では炭火での蝶理は難しく、店においても七輪等をテーブルの上に置いて使用していた。
【０００５】  そこで本発明は、従来のテーブルに設備されたガスコンロに対して、炭火コンロを容易に設置できるようにしたものである。
【課題を解決するための手段】
【０００６】  上記の目的を達成するために、本発明の炭火コンロが使えるテーブルにおいては、テーブルの天板に炭火コンロ孔を設け、アウトドアで使用するタイプの鉄製炭火コンロをコンロ受けに設置でできるようにする。
【０００７】  七輪を設置する場合は、コンロ受け部分に取付けられる、七輪受け孔を設けた受け台を設置し、火をおこした七輪を設置できるようにする。
【０００８】  炭火コンロを使用しない場合は、受け台を取付けた上に受け台カバーを置くことで通常の平らなテーブルとして使用することができる。
【０００９】  テーブルの下に突出した炭火コンロによって火傷等の事故が起こらないように、炭火コンロ孔に保護カバーを設ける事ができる。
【００１０】  保護カバー内に灰を受け皿を設ける事ができる。
【作用】
【００１１】  テーブルにコンロ受け孔を設けることによって、屋外で火をおこした炭火コンロを室内のテーブルに持込むことが可能になるため、火をおこす際に発生する煙りや灰の心配をすることなく炭火による焼肉等が可能になる。
【００１２】  七輪を使用する場合も、屋外で炭火をおこし受け台の炭火コンロ孔に七輪を差込み移動することができる。
【００１２】  また、七輪がテーブルの天板内に入り込むために、七輪の高さが食事にちょうど良い高さになる。
【００１３】  炭火の火力調整は、炭火コンロテーブルの下で行なうことができる。
【００１４】  炭火コンロを使用しない場合は、受け台を取付けて受け台カバーを取り付けることで普通のテーブルとして使用することができる。
【発明を実施するための最良の形態】
【００１５】  本発明の実施の形態を実施例にもとづき図面を参照して説明する。
図２において、テーブルの天板１に、コンロ受け６を設けた炭火コンロ孔３を設ける。【００１６】  コンロ受け６に保護カバー９を取付け、保護カバー９の中に灰受け１０を設置する。【００１７】  炭火コンロ孔３に七輪を使用する場合は、七輪受け２を設置する。炭火用コンロ８を使用する場合は、炭火用コンロ８を設置する。【００１８】  コンロを使用しない場合は、七輪受け２を炭火コンロ孔３にセットし、その上から受けカバー５を取付ける。
【図面の簡単な説明】
【図１】  本体斜視図
【図２】  本体断面図
【図３】  本体の構成を示す斜視図
【符号の説明】
１    テーブルの天板
２    受け台
３    炭火コンロ孔
４    七輪受け孔
５    受け台カバー
６    コンロ受け
７    七輪
８    炭火用コンロ
９    保護カバー
１０  灰受け皿
【図１】
2007190338.tif 000003
【図２】
2007190338.tif 000004
【図３】
2007190338.tif 000005
(57)【要約】【課題】鍋料理を楽しむ時、鍋の中の具をすくうには穴のあいたおたまを、ス−プをすくうには穴のないおたまをそれぞれ使うなどの面倒を解消するために、具・ス−プすくい両用おたまトンクを提供する。【解決手段】「ス−プをすくうおたま」１と穴のあいた「具をすくうおたま」２を弾性を持たせた柄３で連結したため、１本で必要に応じて使い分けることができるばかりか、挟むこともできて大変便利になった。2007190335.tif 000003
【特許請求の範囲】
【請求項１】
「ス−プをすくうおたま」と「具をすくうおたま」を連結したおたまトンク
【発明の詳細な説明】
【発明の詳細な説明】
【発明の属する技術的分野】
【０００１】本発明は、「ス−プをすくうおたま」と穴のあいた「具をすくうおたま」を弾性を持たせた柄で連結し、１本で両用に供するものである。
【背景技術】
【０００２】従来は、「ス−プをすくうおたま」と穴のあいた「具をすくうおたま」は別々のもので、このような両機能を持つ器具はなかった。
【発明が解決しようとする課題】
【０００３】鍋料理を楽しむ時など、鍋の中の具をすくうには穴のあいたおたまを、ス−プをすくうには穴のないおたまを使うなど、２本の用途が違うおたまを使わなければならず面倒であった。本発明品は、このような課題を解決するために考案された。
【課題を解決するための手段】
【０００４】「ス−プをすくうおたま」と穴のあいた「具をすくうおたま」を弾性を持たせたＵ字型の柄で連結した。
【発明を実施するための最良の形態】
【０００６】以下、本発明の実施の形態について説明する。
（イ）、穴のあいた「具をすくうおたま」と「ス−プをすくうおたま」を弾性を持たせた柄で連結した。
（ロ）、このため１本で「具をすくう」、「ス−プをすくう」機能に、「挟む」機能も新たに追加された。
【発明の効果】
【０００７】従来は鍋の中の具をすくうには穴のあいたおたまを、ス−プをすくうには穴のないおたまをそれぞれ使うなど面倒であったが、「ス−プをすくうおたま」と穴のあいた「具をすくうおたま」を弾性を持たせた柄で連結したため、１本で必要に応じて使い分けることができるばかりか、挟むこともできて大変便利になった。
2007190335.tif 000002
(57)【要約】【課題】従来の串は食品を食べ進むにしたがって、串が邪魔になり、不便であるばかりでなく、幼児や老人には非常に危険なものであった。とくに竹串は途中で折ることがむずかしく、困難であるが、本発明はこれらの課題を解決するための「折り目つき串」を提供する。【発明の効果】本発明は串に折り目１（一口間隔）がつけてあるので、食べ進むにしたがって串を簡単に折ることができる。このため、串に刺した食品が食べやすく、かつ安全になった。2007190340.tif 000003
【特許請求の範囲】
【請求項１】
アイスキャンディ、フランクフルトソーセージ、アメリカンドッグ、だんご、やきとり、おでん等  串に刺した食品に使用される折り目つき串（棒状、板状、角状のもの）
【発明の詳細な説明】
【発明の詳細な説明】
【発明の属する技術的分野】
【０００１】この発明は、串に適度の間隔をおいて。折りやすいよう折り目（スジ）をつけたものである。
【背景技術】
【０００２】従来は、このような折り目（スジ）をつけた串はなかった。
【発明が解決しようとする課題】
【０００】従来の串は食品を食べ進むにしたがって、串が邪魔になり、きれいに食べるには口の奥まで串を入れるか、手で食品を串の先まで押し上げねばならず不便であるばかりでなく、幼児や老人には非常に危険なものであった。本発明品はこのような課題を解決するために考案された
【課題を解決するための手段】
【０００５】串に適度の間隔をおいて。折りやすいよう折り目（スジ）をつけた。
【発明を実施するための最良の形態】
【０００６】以下、本発明の実施の形態について説明する。
棒状、板状、角状の串に適度な間隔（一口間隔）で折り目（スジ）をつけた。
【発明の効果】
【０００７】従来の串は食品を食べ進むにしたがって、串が邪魔になり、不便であるばかりでなく、幼児や老人には非常に危険なものであった。とくに竹串は途中で折ることがむずかしく、困難であったが本発明は串に折り目（一口間隔）がつけてあるので、食べ進むにしたがって串を簡単に折ることができる。このため、串に刺した食品が食べやすく、かつ安全になった。
2007190340.tif 000002
(57)【要約】【課題】枝豆入れと枝豆の皮入れを一体化した枝豆容器を提供する。【解決手段】側面に、枝豆の皮が入る大きさの穴（２）を数ヶ所くりぬいた、容器の内部が見えない、深い皮入れ容器（１）と、その皮入れ容器（１）の上に係止する着脱自在な、枝豆本体を入れる器（３）と、から成る枝豆容器。【選択図】図１
2007190336.tif 000002
【特許請求の範囲】
【請求項１】
側面に、枝豆の皮が入る大きさの穴を数ヶ所くりぬいた、容器の内部が見えない、深い皮入れ容器と、その皮入れ容器の上に係止する着脱自在な、枝豆本体を入れる器と、から成る枝豆容器。
【発明の詳細な説明】
【技術分野】
【０００１】  本発明は、枝豆入れと枝豆の皮入れを一体化した枝豆容器に関するものである。
【背景技術】
【０００２】  従来、枝豆を食卓に出す際、枝豆を入れた器と、皮入れを別に出していた。
【発明の開示】
【発明が解決しようとする課題】
【０００３】  そのために、次のような問題点があった。
（イ）枝豆を入れた器と、食べた後の皮入れを、一緒に食卓に並べると場所を取っていた。
（ロ）食べた後の枝豆の皮が入った器を、食卓に並べていると、見た目が良くなかった。
本発明は、これらの問題点を解決するためになされたものである。
【課題を解決するための手段】
【０００４】  側面に、枝豆の皮が入る大きさの穴を数ヶ所くりぬいた、容器の内部が見えない、深い皮入れ容器と、その皮入れ容器の上に係止する着脱自在な、枝豆本体を入れる器と、から成る枝豆容器。
【発明の効果】
【０００５】  枝豆を入れた器の下に皮入れの容器がある為、食卓の場所を取らず、又容器の内部が見えない皮入れ容器の、くりぬいた穴から皮を捨てる事ができ、枝豆の皮が見えない。
【発明を実施するための最良の形態】
【０００６】  以下、本発明の実施の形態について説明する。
側面に、枝豆の皮が入る大きさの穴（２）を数ヶ所くりぬいた、容器の内部が見えない、深い皮入れ容器（１）と、その皮入れ容器（１）の上に係止する、着脱自在な、枝豆本体を入れる器（３）を別に形成する。
前記深い皮入れ容器（１）としては、ステンレス製やプラスチック製の把手つき、または把手なしのボウルが考えられる。
また、前記枝豆本体を入れる器（３）としては、皮入れ容器（１）に係止可能な縁やつばの設けられた、ステンレス製やプラスチック製のザルなどが考えられる。
しかしながらまた、上記実施例や図１ないし図２に示したものは、あくまで各々実施例のひとつであって、本発明の機能を達成可能な大きさ、素材であれば、必ずしも上記に拘泥するものではない。
さらに、器（３）の係止手段としては、容器そのものに設けられる縁やつばのほか、円周外側左右に形成される穴あき環状といった把手や、抜状などの脚部を設けた網容器体として、皮入れ容器（１）内へ据え置く形態も考えられる。
本発明は以上のような構成で、これにのせるときは、枝豆を器（３）に入れ、皮入れ容器（１）の上にのせて食卓に出す。枝豆を食べた後の皮を皮入れ容器（１）の、くりぬいた数ヶ所の穴（２）から挿入する。
また図３に示すように、穴（２）をくりぬく代わりに、凹部（４）を皮入れ容器（１）の側面に設けてもよい。
【図面の簡単な説明】
【０００７】
【図１】本発明の分解斜視図
【図２】本発明の使用状態を示す斜視図
【図３】本発明の他の実施例を示す分解斜視図
【符号の説明】
【０００８】１  皮入れ容器                ３  器
２  穴                        ４  凹部
【図１】
2007190336.tif 000003
【図２】
2007190336.tif 000004
【図３】
2007190336.tif 000005
(57)【要約】      （修正有）【課題】指圧球入り室内用はきものに関し、足裏マッサージ機器において使用場所を選び、固い器具で決まった状態で使用する不便さを改善した指圧球入り室内用はきものを提供する。【解決手段】布地又は通気性柔軟素材で作るはきもの底面を二重にし、その空間に適度な硬度を有する合成ゴムほか球体を挿入して指圧球入り室内用はきものを構成する。二重底の中に挿入した球体が、足指及びかかとに回り込まないよう縫い目４，５でとじた底面とする。該はきものを履いて足を動かし球体を踏み転がすと、遊動する球体が土踏まずを中心に足裏随所を好み通りにマッサージでき、年寄りや病人は寝たままこの指圧球入り室内用はきものを履き、ひざを立てているだけで自然に足の重みで指圧、下半身の血流を促す効果を生み、邪魔にならずどこでも簡単に使用できる効果がある。【選択図】図２
2007190334.tif 000002
【特許請求の範囲】
【請求項１】
足底部を二重の袋状にして、空間に一個以上の球体を挿入したことを特徴とする指圧球入り室内用はきもの
【請求項２】
足と球体の動きを容易にするため、つま先にギャザーとふくらみを持たせたことを特徴とする指圧球入り室内用はきもの
【発明の詳細な説明】
【技術分野】
【０００１】  本発明は足底面を二重にして、その空間に一個からそれ以上の球体を挿入した指圧球入り室内用はきものに関するものである。
【背景技術】
【０００２】  従来から木の玉を板に埋めた足つぼ健康器がある。
公開特許公報（Ａ）
特開平７−３２８０９５
公開日  平成７年１２月９日
【発明の開示】
【発明が解決しようとする課題】
【０００３】  しかし、従来のような形状のものは木や固い素材である。
また部分的に決めたところを指圧するもので、限られた場所での使用に不便を解決する。
【課題を解決するための手段】
【０００４】  この課題を解決するための請求項１の発明は、布地又は通気性柔軟性を有する素材を使用、足底部を二重にして、空間に適度な硬度と軟性を持つ合成ゴム球ほか球体を挿入する。
この指圧球入り室内用はきものを履いて、足をすり合わせるとき、球体が土踏まずを中心に足裏全体を指圧マッサージ、また遊動しやすい球体においては素材を選ばない。
以上のように構成された指圧球入り室内用はきもの。【０００５】  請求項２の発明は、足底部に挿入した球体の遊動と足運動を容易にするため、つま先にギャザーとふくらみをつけた指圧球入り室内用はきもの。
【発明の効果】
【０００６】  本発明は腰掛時や座位はもちろん寝床の上に寝ている状態にあっても、球体に足を乗せゴロゴロ踏みながら足裏全体を自在に指圧できる。そのまま腰の下や背中に敷いて指圧効果、スリッパ形のはきもの等すべてに応用可能である。
【発明を実施するための最良の形態】
【０００７】  図１は指圧球入り室内用はきものつま先に、足運動で球体を転がす際のゆとりとしてギャザー及びふくらみを入れ、足のすり合わせ運動中のずれを防止するため、紐で足首を結んだ正面図である。【０００８】  図２は二重底の中に挿入した球体が、足指及びかかとに回り込まないよう、縫い目でとじた底面図である。【０００９】  図３は指圧球入り室内用はきもの実施側面図である。
【産業上の利用可能性】
【０００１０】  本発明に関わる指圧球入り室内用はきものは、土踏まずを中心に足裏全体を自在に指圧下半身の血流をよくする。簡便で老若男女やベッドで過ごす弱者など需要多く、量産可能である。デスクワーク腰掛以外寝床にいても、足裏で踏み転がすことにより好みに応じて指圧マッサージ効果を得られる。外出旅行携帯に便利で邪魔にならない。仰臥中背中や腰に当て、こりをやわらげる使い方も可能にする。
【図面の簡単な説明】
【０００１１】
【図１】  本発明の正面図である。
【図２】  本発明の底面図である。
【図３】  本発明の指圧球入り室内用はきもの実施例を示した側面図である。
【符号の説明】
【００１２】１  つま先のゆとりギャザー
２  穿き口にゴム
３  結び紐
４  つま先球体ずれ込み防止縫い目
５  かかと球体ずれ込み防止縫い目
６  球体挿入部
７  球体挿入部
【図１】
2007190334.tif 000003
【図２】
2007190334.tif 000004
【図３】
2007190334.tif 000005
(57)【要約】【課題】従来市販されている、マッサージ機器、理学療法機器、乗用車の座席、男性の勃起障害あるいは勃起不全のため性交において有効な勃起が得られないため刺激装置による振動によってペニスを勃起させる装置または女性が性器等への振動によって刺激を与えることによって快感を得るための刺激装置等は、アナログ式の刺激装置で一定の周波数や一定の強さ（加速度）の出力ができないものであり、振動刺激の品質、親和性が重要な課題となっていた。また、アナログ式の刺激装置では痛みを緩和させたり、異常細胞を抑制・増殖させたりする医療機器としての機能は持ち合わせていなかった。しかし、振動刺激を利用した治療や快感を得るためにより良質な振動を得るためには、従来の方法ではない振動発生の方法が必要とされている。【解決手段】本発明者等は係る課題を解決するために鋭意研究したところ、多彩な周波数による振動を発生するデジタル式の刺激装置を開発し本発明を提供するものである。【選択図】なし【特許請求の範囲】
【請求項１】
デジタル振動刺激装置を用いて生物に振動を与え、痛みを緩和させたり、異常細胞や腫瘍細胞を抑制させたり増殖させたり、哺乳動物の神経やホルモン分泌を刺激し、興奮させたり抑制させたりする刺激方法。
【請求項２】
ヒトや哺乳動物に振動刺激を与え痛みの緩和や快感や嫌悪感からなる振動刺激方法。
【請求項３】
リニアエンジンと呼ばれるデジタルで周波数と刺激強度を１Ｈｚ間隔で刺激を生体に与える請求項１または２に記載の刺激方法。
【発明の詳細な説明】
【技術分野】
【０００１】  本発明は、哺乳動物の生体にデジタル振動による機械刺激を与える方法であり、詳しくは哺乳動物を機械的にデジタル振動で刺激し痛みを緩和させたり、異常細胞を抑制・増殖させたり、快や不快を起こさせることができることに関する。
【背景技術】
【０００２】  現在、マッサージ機器、理学療法機器、乗用車の座席、男性の勃起障害あるいは勃起不全のため性交において有効な勃起が得られないため刺激装置による振動によってペニスを勃起させる装置または女性が性器等へ振動によって刺激を与えることによって快感を得るための刺激装置等は市販されている。
【発明の開示】
【発明が解決しようとする課題】
【０００３】  しかしながらこれらの振動刺激装置は、アナログ式の刺激装置で一定の周波数や一定の強さ（加速度）の出力ができないものであり、振動刺激の品質、親和性が重要な課題となっている。【０００４】  また、アナログ式の刺激装置では、一定の周波数や一定の強さ（加速度）の出力ができないため、痛みを緩和させたり、異常細胞を抑制・増殖させたりする医療機器としての機能は持ち合わせていなかった。
【課題を解決するための手段】
【０００５】  本発明者等は係る課題を解決するために鋭意研究したところ、多彩な周波数による振動を発生するデジタル式の刺激装置を開発し本発明を提供するものである。【０００６】  刺激装置は、リニアエンジン、パワーアンプ、周波数発信器から構成され生体との接触部分がデジタル式の振動を発生させる。【０００７】  痛みの原因は、脳や脊髄から出て体全体に網の目のように分布している末梢神経うち、痛みを感じる神経の末端が何かの異常により刺激され、これが大脳の中枢に伝えられて起こる感覚であり、刺激のもととしては圧迫や索引などの物理的刺激や、薬品その他、各種化学物質などさまざまなものがある。【０００８】  また、体内の内部から起こることもあり、体の組織は、負担がかかると疲労し代謝や血流の異常をもたらし、乳酸などの疲労物質を生成し、これらが刺激となって痛みを起こします。【０００９】  さらに、疲労が重なると、骨や関節、あるいは関節包や靭帯などを変性させ、変性した組織も痛みを起こすもととなり、これがまた疲労を容易にしこうした事を続けていると痛みは難治化するという悪循環を引き起こす。【００１０】  デジタル式刺激装置は、多様な周波数の振動を生体にあたえ神経伝達を鈍化させ大脳への痛みの伝達を鈍らせ痛みを緩和させ、周波数によっては乳酸などの疲労物質を除去し疲労回復の効果も得られる。【００１１】  男性の勃起障害あるいは勃起不全に関しては、デジタル式のため個々に最適な周波数による振動で、勃起させるための刺激、血行促進、を与えることが可能となる。【００１２】  女性が性器等へ振動によって刺激を与えることによって快感を得る刺激装置としては、従来のアナログ式にはない良質な一定周波数振動刺激を与えることが可能となる。【００１３】  生体に快感を与える振動に対して不快感を与える振動もあり、がん細胞等の異常細胞に不快感の振動を与えることにより異常細胞増殖を抑制させる。
【発明の効果】
【００１４】  本発明によればデジタル式の振動を発生させることにより、アナログ式では得られなかった、快感、不快感、の振動を発生させることができ、様々な痛みの除去、勃起障害、勃起不全の治療、異常細胞の破壊、良質な振動を発生する男女の快感刺激装置の製造が可能となる。
【発明を実施するための最良の形態】
【００１５】  すなわち本発明は、デジタル式の振動によって痛みの除去、快感の取得、異常細胞の除去を行うことであり以下実施例をもって本発明を詳細に説明するが、本発明の範囲はこれに限定されるものではない。
【実施例１】
【００１６】  膀胱がん患者（男性  ６５歳）内視鏡手術後、がん細胞を壊死させるためのＢＣＧの副作用で尿道炎を発症した。【００１７】  痛みと尿意で睡眠も取れない状況であったが、４６ヘルツのデジタル式の振動を尿道に３分間与えた場合１２時間痛みが出ない効果があった。
【実施例２】
【００１８】  ４３人の女性のデジタル式の振動を体の各所に与え快適な周波数を調査し、結果を下記の表に記載した。【００１９】
【表１】
2007190333.tif 000002
2007190333.tif 000003
【００２０】  快適な周波数は、個々で違い従来のアナログ式の刺激装置では対応できないと考えられ、本件発明である多様な周波数を一定の出力で発生させるデジタル式の刺激装置の必要性が確認できた。【００２１】  大腸菌の増殖、抑制についての実験をした結果、４５ヘルツで細胞の抑制がみられ、７０ヘルツの刺激で増殖が認められた。本件発明である多様な周波数を一定の出力で発生させるデジタル式の刺激装置の必要性が確認できた。
(57)【要約】【目的】    従来は整形手術しかなく、費用が高価であり、一大決心で大変であったが、手術しないで老若男女の誰でもが使用する者が居れば、そして安価でしかも容易にシワ、タルミが消失するものがあればどんなに素晴らしいだろう。そのような目的である。しかも、親にもらった身体にキズを付けることなく、美しくなれるとなれば。【構成】  本考案のタルミ取り美容シートは、人の頬部の適当な位置に接着させて使用するが、接着シート１の糊面４を頬に、ゴム穴２に通されたゴムヒモ３を耳に掛け、又は頭部に掛けることにより、弛んだ頬の皮膚を後上方に引き上げる事により、使用者の頬のシワ、弛みが消失、改善するもので、取り去る場合は、接着シート１を皮膚から剥がす事により、使い捨てが容易に出来るように構成されている。【選択図】図２
2007190337.tif 000002
【特許請求の範囲】
【請求項１】
本考案のタルミ取り美容シートを、人の頬部の適当な位置に接着させて使用するが、接着シート１の糊面４を頬に、ゴム穴２に通されたゴムヒモ３を耳に掛け、又は頭部に掛けることにより、弛んだ頬の皮膚を後上方に引き上げる事により、使用者の頬のシワ、弛みが消失、改善するもので、取り去る場合は、接着シート１を皮膚から剥がす事により、使い捨てが容易に出来るタルミ取り美容シート。
【請求項２】
請求項１に加えて、接着シート１の表面を肌色にした物や、カラフルな柄を設けたタルミ取り美容シート。
【請求項３】
上記考案の請求項１、請求項２に加えて、ゴムひも３をカラフルな飾りを設けたタルミ取り美容シート。
【請求項４】
本考案のタルミ取り美容シートを、身体各部の弛み、シワのある部分に使用することが可能となり、ゴムひも３の端に、新たに接着シート５或いはクリップ６を設けて使用範囲を広めても良い。
【発明の詳細な説明】
【発明の詳細な説明】
【産業上の利用分野】
【０００１】      本考案は、美容に係わるものであり、整形手術をしないで美しくなりたいと老若男女が等しく持つ欲求に答える物で、人目に付く頬のシワ、タルミをたちどころに解消しようというものである。
【背景技術】
【０００２】      従来、整形手術若しくはそれに近い医療しかありません。
【発明が解決しようとする課題】
【０００３】      従来のやり方では費用が高価で一大決心で大変であった。
【０００４】      老若男女の誰でも使用する者が居れば、安価でしかも容易にシワ、タルミが消失、改善する。
【０００５】      そして、親にもらった身体にキズを付けることなく美しくなれる。
【０００６】      また、接着シート１の糊面４を頬に貼って使用するが、その位置を左右、上下に多少ずらすことにより、その人お好みの顔に変化させることが可能であり、場合によっては小顔にもなり、日によっては色々変える楽しさもある。
【課題を解決するための手段】
【０００７】      上記目的を達成するために、本考案におけるタルミ取り美容シートは、利用者のシワ、タルミの程度により利用者の好みの顔に変化させるために、接着シート１が設けてあり、糊面４は皮膚に優しく容易に剥がれないようになっていて、お好みの顔にすべく頬に貼って接着させ、ゴムひも３を耳に掛けて使用する。
【０００８】      利用者の希望で、ゴムひも３、接着シート１を、髪の毛で隠すようにすれば［図２］、外部からは見えないようにする事も可能である。
【作用】
【０００９】      本考案のタルミ取り美容シートは、シワ、タルミを解消、若しくは改善させることにより、小顔に見えるようにもなる。
【００１０】      また、１時間以上使用することにより、本考案のタルミ取り美容シートを取り去っても、暫くの間はその頬が、使用中の位置に留まっているという副産物もある。
【実施例】
【００１１】      実施例について図面を参照して説明する。
本考案のタルミ取り美容シートは、［図２］に示すように接着シート１の糊面４を利用者の頬の額関節あたりに貼り、利用者の耳にゴムひもを掛けて使用するが、ゴムひも３の張力により、頬の皮膚が後上方に引き上げられ、シワ、タルミが消失するのである。【００１２】      頬のみでなく、身体各部のシワ、たるみを改善すべく考案されたものが図４に示すもので、本来、耳や頭部に掛けるゴムひも３の端に、新たに接着シート５又はクリップ６を設けたもので、接着シートの両端の外側、或いは接着シートとクリップの外側の皮膚のシワ、弛みを伸ばして改善することも出来るようにした。
【発明の効果】
【００１３】      本発明は、以上説明したように構成されているので、以下に記載されるような効果を奏する。
【００１４】      請求項１のタルミ取り美容シートを使用することにより、たるんだほっぺを持ち上げて、老人は若返り、若い人は小顔になって、生き生きとした毎日が送れること請け合いである。
【００１５】      請求項２は、接着シート１の表面をカラフルな柄で飾ったもので、更に現代風にまた、高級感を持たせたものである。
【００１６】      請求項３はゴムひもまでもカラフルな飾りを付けた物である。
【００１７】      請求項４は身体各部のシワ、弛みを改善出来るように考案したものである。
【図面の簡単な説明】
【図１】タルミ取り美容シートの平面図と側面図である。
【図２】タルミ取り美容シートの使用中の斜面図である。
【図３】タルミ取り美容シートの使用中の斜面図である。
【図４】人体各部に使用可能なタルミ取り美容シートの斜面図である。
【符号の説明】
１  接着シート
２  ゴム穴
３  ゴムひも
４  糊面
５  新たな接着シート
６  クリップ
【図１】
2007190337.tif 000003
【図２】
2007190337.tif 000004
【図３】
2007190337.tif 000005
【図４】
2007190337.tif 000006
(57)【要約】【課題】この発明は、食器洗いの時、洗剤を使わず、かつ、スポンジ等を手に持たずに、食器が洗えるアクリルニット付きのゴム手袋を提供する。【解決手段】ゴムの手袋にアクリルクロスをはり付けた、食器洗い専用ゴム手袋である。【選択図】図１
2007190331.tif 000002
【特許請求の範囲】
【請求項１】
ゴムの手袋にアクリルニットクロスをはり付けた、洗剤のいらない、環境に優しい食器洗いゴム手袋。
【発明の詳細な説明】
【技術分野】
【０００１】この発明は、食器を洗う時に使用するゴム手袋にアクリルニットをはりつけてた環境に優しいゴム手袋に関するものである。
【背景技術】
【０００２】従来、ゴムの手袋は、スポンジに洗剤をつけて食器を洗うのに使われていた。
【発明の開示】
【発明が解決しようとする課題】
【０００３】そのため、次のような問題点が生じた。
（イ）主婦は、食器を洗うのに、手袋をはめ、スポンジに洗剤をつけて洗っていたが、洗剤を使うことの環境と人体への心配があった。
（ロ）主婦は、食器を洗うのに、手袋をはめ、スポンジを持たなければならなかった。
本発明は、以上の問題点を解決したものである。
【課題を解決するための手段】
【０００４】ゴムの手袋にアクリルニットクロスをはり付ける。
以上の構成からなる食器洗い専用手袋である。
【発明の効果】
【０００５】したがって、この手袋を使用することで、スポンジを持たずに食器を洗えるようになり、食器洗いの手作業が早くなり、また、環境と人体に優しい手袋となった。
【発明を実施するための最良の形態】
【０００６】以下、本発明の実施の形態について説明する。
（イ）ゴムの手袋に、手のひらサイズのアクリルニットの布を接着する。
本発明は以上の構成からなる、食器専用ゴム手袋である。以下、使用法について説明する。
食器を洗う時、このアクリルニット付きゴム手袋を両手にはめ、水または、ぬるま湯を出し、この手袋で汚れた食器を洗う。アクリル素材は、水だけで食器の油汚れも落ちる。ただし、環境に配慮し、汚れのひどい食器は、紙などで拭き取ってから、この手袋を使用する方がよい。
アクリル素材は、酸、アルカリ・カビに強く、乾きも早く汚れもつきにくいので、使用後も台所で十分乾き、次に使用できる。
【図面の簡単な説明】
【０００７】
【図１】  本発明の正面図
【符号の説明】
【０００８】  １はゴム手袋
２はアクリルニット
【図１】
2007190331.tif 000003
(57)【要約】      （修正有）【課題】カイロの温度を調節できるようにして、希望の温度で使用出来るようにした穴をあけたカイロ袋を提供する。【解決手段】袋１に通気穴２をあけることによって、袋内のカイロ３の中で化学反応による反応熱が空気穴の大きさによりそれぞれ放熱されるようにした。通気穴２の大小により温度を調整して、希望の温度で使用することができる。通気穴２を３ｍｍ、５ｍｍ、８ｍｍ、にあけた場合、袋内のカイロ３の温度を、それぞれ２８℃前後、３８℃前後、４８℃前後に保つことができる。【選択図】図１
2007190363.tif 000002
【特許請求の範囲】
【請求項１】
カイロの温度を適温で保持するため、別袋に穴をあけて空気の流入を穴の大小により、希望の温度で使用出来るカイロの袋。
【発明の詳細な説明】
【技術分野】
【０００１】本発明は、カイロの温度を調節するために、カイロを穴のあいた袋に入れ、穴の大きさにより温度の調節が出来て、希望の温度で使用出来るようにしたものである。
【背景技術】
【０００２】従来は、カイロの温度を調節するカイロはなかった。
【発明の開示】
【発明が解決しようとする課題】
【０００３】冬の寒い時期など、カイロを長時間使用していると、お子様や身体のご不自由な方々にも希望する温度で使用することのできるカイロがなかった。
本発明はこの課題を解消するためになされたものである。
【課題を解決するための手段】
【０００４】袋１に発明通気穴２をあけることによって、袋内のカイロの中で科学反応の反応熱が空気穴の大きさによりそれぞれの熱を発生するようにした。
【発明の効果】
【０００５】カイロを発明の袋に入れて、空気穴の大小により、温度を調節して、希望の温度で使用すすることが出来る。
以下、発明の実施の形態について説明する。
（イ）  本袋に、それぞれ別袋に３ｍｍ、５ｍｍ、８ｍｍ、の通気穴を表側のみにあけてカイロををいれ、袋の入口を蜜閉する。
（ロ）  この袋内のカイロの温度は、３ｍｍ穴で約２８℃前後、５ｍｍ穴で約３８℃、８ｍｍ穴で約４８℃前後の温度が保たれた。
【図面の簡単な説明】
【０００６】
【図１】本発明の正面図である。
【図２】本発明の使用状態を示すＡ―・―Ａの断面図である。  １  発明の袋の本体  ２  発明の通気穴  ３  カイロ  ４  のりつけ線
【図１】
2007190363.tif 000003
【図２】
2007190363.tif 000004
(57)【要約】【課題】    水塗布具を使用可能状態で放置しておくと、保水部材の水分が次第に蒸発して湿りが失われていくが、水の補給がついつい疎かになることが多い。  また、コストダウン等の合理性を追及された意匠形状の水塗布具では、保水部材が汚れてきても洗いたくなるような気持ちになりにくく、その結果汚れが染み付いた保水部材に切手や指先を着けるのがためらわれることがある。【解決手段】  保水部材（１）が湿っていることを連想させる意匠形状（３）によって、使用者に保水部材（１）をメンテナンスする気持ちを起こさせる。【選択図】              図１
2007190925.tif 000002
【特許請求の範囲】
【請求項１】
保水力を有する保水部材と、
内側に前記保水部材を嵌め込み可能な凹形状と、外側に前記凹形状に嵌め込まれた状態の前記保水部材が湿っていることを連想させる意匠形状と、を備える器部材と、
を具備する、水塗布具。
【請求項２】
前記意匠形状は、常に前記保水部材を湿らせておきたくなるような連想効果を有する、
請求項１に記載の水塗布具。
【請求項３】
前記意匠形状は、前記保水部材を積極的に触りたくなるような連想効果を有する、
請求項１に記載の水塗布具。
【発明の詳細な説明】
【技術分野】
【０００１】
本発明は、切手や指先等に水を塗布する水塗布具に関する。
【背景技術】
【０００２】
水塗布具においては、特許文献１のようにスポンジを保水部材として、切手や印紙の糊面に水を塗布する携帯式の水塗布具が知られている。
【０００３】
【特許文献１】特開２００３−０３９８９１号公報
【発明の開示】
【発明が解決しようとする課題】
【０００４】
水塗布具を使用可能状態で放置しておくと、保水部材の水分が次第に蒸発して湿りが失われていくが、水の補給がついつい疎かになることが多い。
また、コストダウン等の合理性を追及された意匠形状の水塗布具では、保水部材が汚れてきても洗いたくなるような気持ちになりにくく、その結果汚れが染み付いた保水部材に切手や指先を着けるのがためらわれることがある。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係る水塗布具は、例えば図１又は２のように、
保水力を有する保水部材１と、
内側に保水部材１を嵌め込み可能な凹形状２と、外側に凹形状２に嵌め込まれた状態の保水部材１が湿っていることを連想させる意匠形状３と、を備える器部材６と、
を具備する、水塗布具である。
【０００７】
発明２に係る水塗布具は、発明１の水塗布具において、例えば図１のように、
意匠形状３は、常に保水部材１を湿らせておきたくなるような連想効果を有する、
水塗布具である。
【０００８】
発明３に係る水塗布具は、発明１の水塗布具において、例えば図２のように、
意匠形状３は、保水部材１を積極的に触りたくなるような連想効果を有する、
水塗布具である。
【発明の効果】
【０００９】
以上のように本発明では、意匠形状３から保水部材１が湿っていることが容易に連想されるので、新しい全体意匠であっても水塗布具であることが認識されやすく、保水部材１も意匠の一部として常にきれいにしておきたくなる効果を有する。
【００１０】
さらに発明２では、本発明の効果に加えて、保水部材１に対して水の補給を積極的に行いたくなる効果を有する。
【００１１】
さらに発明３では、本発明の効果に加えて、保水部材１の清潔さに疑問があっても、意匠形状３がそれを払拭してくれる効果を有する。
【発明を実施するための最良の形態】
【００１２】
〔第１実施形態〕
図１において、保水部材１は発砲ウレタン等のスポンジを円柱形に成形したものであり、樹脂を成型した略半球状の器部材６上面略中央部の凹形状２に嵌め込まれている。また、凹形状２の縁から外側に向かって放射状に複数の三角形状の鍔が出ており、これが意匠形状３を構成している。また、器形状６の下面は接地部５となっており、水平面に安定接地可能である。
第１実施形態は、日本の民話で知られている河童の頭頂部を模した意匠であり、保水部材１は常に湿らせておくことが好ましいと伝えられている河童のお皿を連想させる。
また、意匠形状３は側面４に張り付くようなものであっても良い。
【００１３】
〔第２実施形態〕
図２において、保水部材１は発砲ウレタン等のスポンジを円柱形に成形したものであり、樹脂を成型した略半球状の器部材６上面略中央部の凹形状２に嵌め込まれている。また、凹形状２の縁から側面４に雫形状が垂れており、これが意匠形状３を構成している。また、器形状６の下面は接地部５となっており、水平面に安定接地可能である。
第２実施形態は、液状の蜂蜜を保管しておく壺を模した意匠であり、保水部材１は甘い蜂蜜を連想させ、指先で試食してみたくなるような気持ちになるだろう。
また、美味しそうな湿った食物を連想させるのであれば、意匠形状３を漬物等としても良い。
【図面の簡単な説明】
【００１４】
【図１】第１実施形態の斜視図
【図２】第２実施形態の斜視図
【符号の説明】
【００１５】
１.                                      保水部材
２.                                      凹形状
３.                                      意匠形状
４.                                      側面
５.                                                  
接地部
６.                                      器部材
【図１】
2007190925.tif 000003
【図２】
2007190925.tif 000004
(57)【要約】      （修正有）【課題】現在の車の日除けは、フロントガラスの高い位置での対処しか出来ず、朝日夕日の低い位置での直射は、サングラス等がないと対処出来ず、大変危険であった。【解決手段】センサー１と、色付電球２と、色付カバー３と、反射板４によって構成され、センサー１の外光の検出により色付電球２が発光し、反射板４によって色付の光のカーテンが生成され、いつでも、どこでも安全な運転をする事が出来る。【選択図】図３
2007190932.tif 000002
【特許請求の範囲】
〔図３〕▲１▼〜▲４▼
従来の日除けは上の方にしか働かず、朝日、夕日の底い位置の時はサングラスでもないと、対処する事が出来なかった。
この考案によって、いつでもどこでも安心して走行出来る。
【発明の詳細な説明】
【発明の詳細な説明】
〔図１〕従来の日除けで、太陽が底い位置では役に立たない。
〔図２〕考案のセンサーにより色付光線の照射により、色付光線のカーテンが出来てサングラスの役目をしてくれる。
〔図３〕▲１▼〜▲４▼の働きによって色付光線を発射するそうち。
（Ａ図）正面断面図
（Ｂ図）側面断面図
▲１▼〜▲４▼の働きにより光のカーテンが出来サングラス等がなくても安心して走る事が出来る。
▲１▼センサー  強い光を感知し色付電球に伝える。
▲２▼色付電球
▲３▼色付カバー
▲４▼反射反  色付光を集光して照らす。
【図１】
2007190932.tif 000003
【図２】
2007190932.tif 000004
【図３】
2007190932.tif 000005
【手続補正書】
【提出日】平成18年12月18日(2006.12.18)
【手続補正２】
【補正対象書類名】明細書
【補正対象項目名】全文
【補正方法】変更
【補正の内容】
【発明の詳細な説明】
【技術分野】
【０００１】本発明は、走行中に、朝日、夕日の低い位置からの強い光を受けた時センサーが、感知して、色付電球がともり、色付カバーを通して、フロントガラス等に、色付のカーテンが出来、安全運転が出来る。
【背景技術】
【０００２】従来の日除けは、上部にしか働かず、朝日、夕日等の低い位置の光は、サングラス等がないと対処する事が、出来なかった。【０００３】以下〔図１〕〜〔図３〕の自動色付光のカーテンの説明をする。〔図１〕は、現在の日除で、サングラス等がないと、対処出来なかった。そこで本発明の〔図３〕のような、▲１▼のセンサーと、▲２▼の色付球  ▲３▼の色付カバー  ▲４▼の反射板によって、フロントガラス等に、色付きのカーテンが出来、安全な運転が出来る。
【図面の簡単な説明】
【０００４】
【図１】現在の日除けで、朝日、夕日の低い位置からの強い光はサングラス等がないと対処出来なかった。
【図２】考案の光のカーテンが出来、サングラス等がなくてもいつでも対処する事が出来る。
【図３】本発明のしくみ  Ａ図  正面の断面図  Ｂ図  側面の断面図
【符号の説明】
▲１▼  センサー
▲２▼  色付き電球
▲３▼  色付カバー
▲４▼  反射反